(57)【要約】      （修正有）【課題】落ち葉の堆積防止と共に、落氷防止も実現する折版屋根等の谷用雪止め具を提供する。【解決手段】折版屋根Ａの頂部に架設された雪止めアングルＢに装着する屋根谷部空間のための雪止め具で、アングルに装着する装着部と雪止め部１４を備え、アングル装着時に雪止め部の下縁が屋根谷部表面ａとの間に空隙ｂを生ずるように形成した本体１と、アングル装着時に屋根谷部表面と当接する横杆部、及び横杆部と連結し、先端を本体に枢止して回動自在とした縦杆部とを備えた氷止め体２とからなる。【選択図】図２
0003190278.tif 000002
【実用新案登録請求の範囲】
【請求項１】
折版屋根等の頂部に架設された雪止めアングルに装着し、折版屋根の谷部空間に垂設して雪止め機能を果たす雪止め具であって、アングルに装着する装着部、及び屋根の谷部分に垂下して雪止めを実現する雪止め板部を備え、アングル装着時に雪止め板部の下縁が屋根谷部表面との間に空隙を生ずるように形成した本体と、アングル装着時に屋根谷部表面と当接する横杆部、及び前記横杆部と連結し、先端を前記本体に枢止して回動自在とした縦杆部とを備えた氷止め体とからなることを特徴とする折版屋根等の谷用雪止め具。
【請求項２】
氷止め体が金属線材を折曲して、下方開口コの字状に形成してなる請求項１記載の折版屋根等の谷用雪止め具。
【請求項３】
雪止め板部の側縁を折曲してリブ状部に形成すると共に、前記リブ状部の適宜位置に透孔を穿設すると共に、縦杆部先端を前記透孔に装着してなる請求項１又は２記載の折版屋根等の谷用雪止め具。
【考案の詳細な説明】
【技術分野】
【０００１】
本考案は、折版屋根や瓦棒屋根等の頂部に横架した雪止めアングルに吊下げ装着する谷用雪止め具に関するものである。
【背景技術】
【０００２】
折版屋根等の雪止めには、折版屋根の頂部にアングルを横架する他、更に屋根の谷部分の雪の滑り落ちを防止するために、前記雪止めアングルに吊下げ装着する谷用雪止め具が採用されている。
【０００３】
前記の谷用雪止め具は、基本的にアングルに装着する装着部と、屋根の谷部分に垂下して雪止めを実現する雪止め部とを備えているものである。
【０００４】
装着部は、アングルの水平板部上に載置する載置部と、アングルの鉛直板部に添わせて雪止め部と連結する縦板部と、前記載置部と縦板部をアングルに密着状態で保持する固定機構部で構成され、固定機構部の構造は、従前より種々提案されている。
【０００５】
例えば特許文献１（特開２０００−６４５３号公報）には、アングル水平板部の下面とアングル鉛直板部の内側面に添うＬ状板で、前記載置部と縦板部とでアングルを挟持するように装着して固定する構造が開示されている。
【０００６】
また特許文献２（特開２００６−２９１４８１号公報）に、載置部と縦板部におけるアングル外方箇所に差込孔を形成し、前記差込孔に差込板（止着部材）を挿通し、突出部分を載置部又は縦板部に係止する構造が開示されている。
【０００７】
更に特許文献３（特開２００８−２３１８２８号公報）には、縦板部におけるアングル鉛直板部の下端縁に対応する位置に、アングル鉛直板部の下端縁を上方に押圧して係止する止着バネ体を設けて固定する構造が開示されている。
【先行技術文献】
【特許文献】
【０００８】
【特許文献１】特開２０００−６４５３号公報。
【特許文献２】特開２００６−２９１４８１号公報。
【特許文献３】特開２００８−２３１８２８号公報。
【考案の概要】
【考案が解決しようとする課題】
【０００９】
前記の谷用雪止め具において、屋根の谷部分に垂下して雪止めを実現する雪止め部の下端縁は、屋根の谷表面との間に適宜な高さの空隙を設けている。この空隙によって、落ち葉が屋根表面に落ちても、そのまま雨等で流れ落ちるようにしているもので、前記の間隙が狭いと、落ち葉は雪止め部に引っ掛って屋根面上に堆積してしまう。
【００１０】
しかし前記の空隙が存在するために、低温時に屋根表面で凍結した薄氷が、屋根面上を滑って一気に落下し、危険な状態が生ずる虞がある。
【００１１】
そこで本考案は、落ち葉の堆積防止と共に、落氷防止も実現する新規な折版屋根等の谷用雪止め具を提案したものである。
【課題を解決するための手段】
【００１２】
本考案に係る折版屋根等の谷用雪止め具は、折版屋根等の頂部に架設された雪止めアングルに装着し、折版屋根の谷部空間に垂設して雪止め機能を果たす雪止め具であって、アングルに装着する装着部、及び屋根の谷部分に垂下して雪止めを実現する雪止め板部を備え、アングル装着時に雪止め板部の下縁が屋根谷部表面との間に空隙を生ずるように形成した本体と、アングル装着時に屋根谷部表面と当接する横杆部、及び前記横杆部と連結し、先端を前記本体に枢止して回動自在とした縦杆部とを備えた氷止め体とからなることを特徴とするものである。
【００１３】
而して前記雪止め具の本体を、折版屋根等の頂部に架設された雪止めアングルに装着すると、屋根の谷部分に垂下した雪止め板部は、アングルと共に屋根上積雪の落下を防止する。氷止め体は、回動するのでアングル設置高さに多少の相違があったとしても、横杆部が屋根の谷部表面と当接し、谷部表面に薄氷が張った場合には、前記の横杆部と一体に凍りつくことになり、前記の横杆部によって薄氷の滑り落ちが防止される。
【考案の効果】
【００１４】
本考案の構成は上記の通りで、氷止め体を備えることで屋根上に張った薄氷の落下を防止し、危険をなくすものである。
【図面の簡単な説明】
【００１５】
【図１】本考案の実施形態の全体斜視図。
【図２】同使用状態の説明図（斜視図）。
【図３】同使用状態の説明図（一部切断した側面図）。
【考案を実施するための形態】
【００１６】
次に本考案の実施形態について説明する。実施形態に示した雪止め具は、折版屋根Ａの頂部に架設された雪止めアングルＢに装着するもので、前記雪止めアングルＢは、水平板部と鉛直板部とを備え、一般に鉛直板部は、屋根山側に配置されてなるものである。
【００１７】
雪止め具は、本体１と氷止め体２で構成され、本体１は、アングル装着部を構成する載置部１１、及び縦板部１２、及び止着部（止着バネ体）１３と、前記縦板部１２の下方に雪止め部１４を備えたものである。
【００１８】
また前記の雪止め部１４は、後述するようにアングルＢに装着した際に、下縁が屋根Ａの谷部表面ａに接することなく、充分な空隙ｂ（落ち葉が引っ掛らない程度で、雨水と共に流下され得る高さを備える）を有するように形成する。尚図示例は特に縦板部１２の延長として雪止め部１４を設けているが、例えば縦板部１２よりも幅広の別部材を連結して雪止め部としても良い。
【００１９】
そして本体１をアングルＢに装着する構造として、載置部１１の先部を下方に折り返してアングルの水平板部の先端に係止する係止部１１１を設け、縦板部１２におけるアングルの鉛直板部の下端縁に対応する位置に、止着バネ体１３の先部の上下動を許容する大きさの透孔１２１を形成し、前記透孔１２１を挿通するように止着バネ体１３を縦板部１２に付設したものである。
【００２０】
止着バネ体１３は、透孔１２１の上方位置の縦板部１２に、その基部を鋲体で固着し、その先部（突出先部）１３１が、上下方向の弾性移動可能な形状として、透孔１２１を挿通して縦板部１２の前面側に突出させてなり、前記突出先部１３１を、アングルの鉛直板部の下端縁を回り込み、前記下端縁の前面に立ち上がるように設けたものである。
【００２１】
従って図示するようにアングルＢに本体１の上部を被せ、係止部１１１をアングル水平板部の先端に引っ掛け、本体１全体を回動して止着バネ体１３の突出先部１３１を、アングルの鉛直板部の下端縁を越えて前面側に位置させると、本体１は、アングルＢに簡単に装着される。尚本考案においては、アングル装着構造は任意に定められるものである。
【００２２】
氷止め体２は、金属線材を折曲して、上方開口コの字状に形成して、左右の縦杆部２１と底辺となる横杆部２２を備えるもので、前記雪止め部１４の側縁を折曲してリブ状部１４１に形成すると共に、前記リブ状部１４１の適宜位置に透孔１４２を穿設すると共に、縦杆部２１の先端を折曲して前記透孔１４２に挿着して、氷止め体２を回動自在としているものである。
【００２３】
また氷止め体２は、本体１をアングルＢに装着した際に、横杆部２２が回動して屋根Ａの谷部表面ａに当接するように、透孔１４２の位置に対応して縦杆部２１の長さを定めるものである。
【００２４】
而して前記雪止め具を、前述したようにアングルＢに装着すると、氷止め体２は回動自在に設けているので、アングル設置高さに多少の相違があったとしても、その自重で横杆部２２が屋根Ａの谷部表面ａと当接することになる。
【００２５】
従って雪止め部１４で従前と同様に屋根Ａの谷部空間の積雪が落下するのを防止し、また雪止め部１４の下方空隙ｂから、屋根Ａの谷部表面ａ上の落葉が、雨水と共に流れ落ちて、屋根上に貯まることが無く、更に谷部表面ａに薄氷Ｃが張った場合には、横杆部２２によってその滑り落ちが防止されることになる。
【符号の説明】
【００２６】
１        本体
１１      載置部
１１１    係止部
１２      縦板部
１２１    透孔
１２２    リブ状部
１３      止着部（止着バネ体）
１３１    突出先部
１４      雪止め部
１４１    リブ状部
１４２    透孔
２        氷止め体
２１      縦杆部
２２      横杆部
【図１】
0003190278.tif 000003
【図２】
0003190278.tif 000004
【図３】
0003190278.tif 000005